(57)【特許請求の範囲】
【請求項１】
装置の操舵部に設けられた複数の電極のうち２つの電極間の電位差信号、又は、該操舵部とは別の箇所に設けられた電極と該操舵部に設けられた電極との間の電位差信号を測定する測定部と、
前記測定部によって測定された電位差信号から、該電位差信号の測定に用いられた電極と電気的に接触した被験者の衣服の素材の極性、及び／又は、該電位差信号の強度を算出する算出部と、
前記算出部による算出結果に基づいて被験者の衣服の吸湿性を判定し、判定結果に基づいて前記電極と前記被験者との接触部に対する加湿制御の強さを制御する加湿制御部と、
を備えたことを特徴とする心拍検出用加湿装置。
【請求項２】
前記加湿制御部は、前記算出部による算出結果に基づいて前記素材の吸湿性を判定し、前記判定した結果により特定される素材が他の素材と比較して吸湿性が低い場合に、他の素材と比較して高い強度を示す閾値になるように加湿制御を実行し、前記判定した結果により特定される素材が他の素材と比較して吸湿性が高い場合に、他の素材と比較して低い強度を示す閾値になるように加湿制御を実行することを特徴とする請求項１に記載の心拍検出用加湿装置。
【請求項３】
前記加湿制御部は、前記電極と電気的に接触した被験者の衣服の一部分に対して、他の部分と比較して強く加湿することを特徴とする請求項１に記載の心拍検出用加湿装置。
【請求項４】
装置の操舵部に設けられた複数の電極のうち２つの電極間の電位差信号、又は、該操舵部とは別の箇所に設けられた電極と該操舵部に設けられた電極との間の電位差信号を測定する測定手順と、
前記測定手順によって測定された電位差信号から、該電位差信号の測定に用いられた電極と電気的に接触した被験者の衣服の素材の極性、及び／又は、該電位差信号の強度を算出する算出手順と、
前記算出手順による算出結果に基づいて被験者の衣服の吸湿性を判定し、判定結果に基づいて前記電極と前記被験者との接触部に対する加湿制御の強さを制御する加湿制御手順と、
をコンピュータに実行させることを特徴とする心拍検出用加湿プログラム。
【発明の詳細な説明】
【技術分野】
【０００１】
本発明は、心拍検出用加湿装置及び心拍検出用加湿プログラムに関する。
【背景技術】
【０００２】
被験者の脈拍や心拍の状態を用いて、被験者の生理状態を検出する検出装置がある。例えば、車両に設けられた検出装置は、運転者の生理状態を検出することで、生理状態悪化による事故発生を抑止する。
【０００３】
例えば、検出装置は、被験者と接触した２つの電極間の電位差信号を測定し、測定した電位差信号から被験者の脈拍や心拍を示す心電信号を識別する。そして、検出装置は、識別した心電信号を用いて、被験者の生理状態として眠気や覚醒度などを検出する。
【０００４】
例えば、被験者に接触される電極は、車両の操舵部（ハンドル）や座面などに設けられる。座面に設けられた電極は、被験者が座席に座わることで、被験者の臀部と電気的に接触する。ハンドルに設けられた電極は、被験者がハンドルを握ることで、被験者の手と電気的に接触する。
【０００５】
電極は、被験者の衣服を介して被験者と電気的に接触することがある。例えば、座面に設けられた電極は、スカートやジーンズなどを介して被験者と電気的に接触する。衣服の素材には様々な種類があり、吸水性や電気信号の通しやすさなども衣服の素材ごとに様々である。
【０００６】
ここで、被験者と電気的に接触した２つの電極間の電位差信号を測定する際に、電極近傍の相対湿度を高める相対湿度装置がある。つまり、相対湿度装置は、電極近傍にある衣服を加湿することで電気信号が衣服を通りやすくし、被験者の電気信号を検知しやすくする。なお、電極近傍にマイナスイオンを照射する装置もある。
【０００７】
なお、相対湿度は、大気中に含まれる水蒸気の圧力を、現在の温度における飽和水蒸気圧で除算することで得られる値を示す。例えば、相対湿度が「１００％」であれば、大気中の水蒸気量が飽和したことになり、結露が発生する。
【先行技術文献】
【特許文献】
【０００８】
【特許文献１】特開２００２−１０２１８８号公報
【特許文献２】特開２００９−１０６６７３号公報
【特許文献３】特開２００９−１０６６７５号公報
【発明の概要】
【発明が解決しようとする課題】
【０００９】
しかしながら、上述の相対湿度装置では、被験者を不快にさせていたという課題があった。例えば、被験者が吸湿性の高い素材でできた衣服を着ている場合に、衣服が水分を効率よく吸収する結果、相対湿度装置は、衣服を加湿しすぎることがあった。この場合、被験者が湿りすぎた衣服を着用することになり、相対湿度装置は、被験者を不快にさせていた。
【００１０】
また、上述の相対湿度装置では、電気信号を測定できるまでに時間がかかっていたという課題があった。例えば、被験者が吸湿性の低い衣服を着ている場合には、相対湿度装置は、被験者が吸湿性の高い衣服を着ている場合と比較して長い時間加湿しなければならず、電気信号を測定できるまでに時間がかかっていた。
【００１１】
開示の技術は、上記に鑑みてなされたものであって、過不足なく加湿可能である心拍検出用加湿装置及び心拍検出用加湿プログラムを提供することを目的とする。
【課題を解決するための手段】
【００１２】
開示する心拍検出用加湿装置は、一つの態様において、装置の操舵部に設けられた複数の電極のうち２つの電極間の電位差信号、又は、該操舵部とは別の箇所に設けられた電極と該操舵部に設けられた電極との間の電位差信号を測定する測定部を備える。また、心拍検出用加湿装置は、前記測定部によって測定された電位差信号から、該電位差信号の測定に用いられた電極と電気的に接触した被験者の衣服の素材の極性、及び／又は、該電位差信号の強度を算出する算出部を備える。また、心拍検出用加湿装置は、前記算出部による算出結果に基づいて前記電極と前記被験者との接触部に対する加湿処理の強さを制御する加湿制御部を備える。
【発明の効果】
【００１３】
開示する心拍検出用加湿装置の一つの態様によれば、過不足なく加湿可能であるという効果を奏する。
【図面の簡単な説明】
【００１４】
【図１】図１は、実施例１に係る心拍検出用加湿装置の構成の一例について説明するブロック図である。
【図２】図２は、実施例２に係る心拍検出用加湿装置の構成の一例について説明するブロック図である。
【図３】図３は、実施例２におけるハンドル電極の一例について説明する図である。
【図４】図４は、車両のシートに設けられたシート上部電極やシート下部電極の一例について説明する図である。
【図５】図５は、実施例２における電位測定部により測定される電位について説明する図である。
【図６Ａ】図６Ａは、実施例２における送風部について説明する図である。
【図６Ｂ】図６Ｂは、実施例２における送風部について説明する図である。
【図７】図７は、電位差信号の変化のしやすさについて更に説明する図である。
【図８】図８は、実施例２における判定用テーブルに記憶された情報の一例について説明する図である。
【図９】図９は、実施例２における制御用テーブルによって記憶された情報の一例について説明する図である。
【図１０】図１０は、ＲＭＳを算出する数２について説明する図である。
【図１１】図１１は、実施例２における安定的指標算出部による極性算出処理の一例について説明する図である。
【図１２】図１２は、実施例２における加湿制御部による処理の一例について説明する図である。
【図１３】図１３は、実施例２に係る心拍検出用加湿装置による処理の流れの一例について説明するフローチャートである。
【図１４】図１４は、実施例２における加湿制御部による処理の流れの一例について説明するフローチャートである。
【図１５Ａ】図１５Ａは、実施例２に係る心拍検出用加湿装置の効果について説明する図である。
【図１５Ｂ】図１５Ｂは、実施例２に係る心拍検出用加湿装置の効果について説明する図である。
【図１６】図１６は、実施例３における動作状態に基づいて閾値を調整する処理の流れの一例について説明するフローチャートである。
【図１７】図１７は、実施例４における加湿処理を実行するか除湿処理を実行するかを決定する処理の流れの一例について説明するフローチャートである。
【図１８】図１８は、乾燥した空気を加湿処理時に併せて送風する場合について説明する図である。
【図１９】図１９は、電極と接触した被験者の衣服の一部分に対して強く加湿する場合について説明する図である。
【図２０】図２０は、実施例２に係る心拍検出用加湿プログラムを実行するコンピュータの一例について説明する図である。
【発明を実施するための形態】
【００１５】
以下に、本願の開示する心拍検出用加湿装置及び心拍検出用加湿プログラムの実施例を図面に基づいて詳細に説明する。なお、本実施例により開示する発明が限定されるものではない。各実施例は、処理内容を矛盾させない範囲で適宜組み合わせることが可能である。
【実施例１】
【００１６】
図１を用いて、実施例１に係る心拍検出用加湿装置１００の構成の一例について説明する。図１は、実施例１に係る心拍検出用加湿装置の構成の一例について説明するブロック図である。心拍検出用加湿装置１００は、図１に示す例では、測定部１０１と、算出部１０２と、加湿制御部１０３とを有する。
【００１７】
測定部１０１は、装置の操舵部に設けられた複数の電極のうち２つの電極間の電位差信号、又は、操舵部とは別の箇所に設けられた電極と操舵部に設けられた電極との間の電位差信号を測定する。算出部１０２は、測定部１０１によって測定された電位差信号から、電位差信号の測定に用いられた電極と接触した被験者の衣服の素材の極性や、電位差信号の強度を算出する。そして、加湿制御部１０３は、算出部１０２による算出結果に基づいて被験者の衣服の吸湿性を判定し、判定結果に基づいて被験者に対する加湿制御の強さを制御する。
【００１８】
すなわち、被験者の衣服の素材ごとに極性や電位差信号の強度が異なることに着目し、心拍検出用加湿装置１００は、電位差信号から極性や電位差信号の強度を算出し、算出結果に対応する素材の吸湿性に応じて、被験者に対する加湿制御の強さを制御する。
【００１９】
この結果、実施例１によれば、過不足なく加湿可能である。例えば、従来の加湿装置では、被験者が吸湿性の高い衣服を着ている場合には、衣服が水分を効率よく吸収する結果、衣服を加湿しすぎることがあった。この場合、被験者が湿りすぎた衣服を着用することになり、被験者を不快にさせていた。また、例えば、従来の加湿装置では、被験者が吸湿性の低い衣服を着ている場合には、被験者が吸湿性の高い衣服を着ている場合と比較して長い時間加湿しなければならず、電気信号を測定できるまでに時間がかかっていた。これに対して、実施例１に係る心拍検出用加湿装置１００は、衣服の吸湿性に基づいて加湿処理の強さを制御するので、被験者を不快にさせることなく、電気信号を速やかに測定可能である。
【実施例２】
【００２０】
［心拍検出用加湿装置の構成］
次に、実施例２に係る心拍検出用加湿装置２００について説明する。以下では、特に言及しない限り、心拍検出用加湿装置２００が車両に設けられる場合を例に説明する。しかしながら、本発明はこれに限定されるものではなく、心拍検出用加湿装置２００は、任意の装置に設けられて良い。
【００２１】
図２を用いて、実施例２に係る心拍検出用加湿装置２００の構成の一例について説明する。図２は、実施例２に係る心拍検出用加湿装置の構成の一例について説明するブロック図である。心拍検出用加湿装置２００は、図２に示す例では、車両に搭載され、ハンドル電極２０１と、シート上部電極２０２と、シート下部電極２０３と、電位測定部２０４と、送風部２０５と、水分添加部２０６と、記憶部３００と、制御部４００とを有する。
【００２２】
（電極）
以下では、特に言及しない限り、第２の電極としてハンドル電極２０１が車両のハンドルに設けられ、第１の電極としてシート上部電極２０２と第３の電極としてシート下部電極２０３とが車両のシート座面に設けられる場合を例に説明する。また、電位を測定する対象となる人を被験者と呼ぶことにする。しかしながら、本発明はこれに限定されるものではない。ハンドル電極２０１およびシート上部電極２０２とも、被験者が、電位を計測する対象となる期間において、継続して被験者に電気的に接触できる場所に設けられれば良い。例えば、被験者が装置の操作を行なっている間の心電に関する電位を計測する場合、被験者が操作をする動作の中で自然に被験者と電気的に接触できる場所にハンドル電極２０１およびシート上部電極２０２を設けることが考えられる。このような場所にハンドル電極２０１およびシート上部電極２０２を設ければ、被験者が意図的に電位を計測するための手間をとることを必要としないで済む。
【００２３】
また、ハンドル電極２０１とシート上部電極２０２とは、被験者の心臓を間に挟む２つの位置に設けられれば良い。例えば、ハンドル電極２０１とシート上部電極２０２とは、車両のハンドルとシートの背もたれとにそれぞれ設けられても良く、任意の位置を組み合わせて良い。また、シート上部電極２０２とシート下部電極２０３とは、被験者の心臓を間に挟む２つの位置の一方に両方が設けられれば良い。例えば、シート上部電極２０２とシート下部電極２０３とは、シートの背もたれに設けられても良く、任意の場所に設けられて良い。被験者が立ったままの状態で電位を計測するのであれば、シート上部電極２０２とシート下部電極２０３とは、例えば、被験者が踏む場所に設けられても良い。
【００２４】
ハンドル電極２０１は、電位測定部２０４と接続される。なお、ハンドルは、操舵部やステアリングホイールとも称される。図３を用いて、ハンドル電極２０１の構造の一例について説明する。図３は、実施例２におけるハンドル電極の一例について説明する図である。図３の５０１は、ハンドルを示す。図３の「１」及び「２」は、それぞれ、ハンドル電極２０１を示す。図３の（１）に示すように、２個のハンドル電極２０１が、ハンドル５０１の円周方向に沿って均等な大きさで設けられた場合を例に示した。以下では、「２」個あるハンドル電極２０１それぞれについて、ハンドル電極「１」やハンドル電極「２」と記載する。
【００２５】
なお、以下では、特に言及しない限り、ハンドル電極２０１は、ハンドル５０１に２個設けられる場合を例に説明する。しかしながら、本発明はこれに限定されるものではなく、ハンドル５０１に１個設けられても良く、３個以上設けられても良く、任意の数設けられて良い。
【００２６】
ハンドル電極２０１は、ハンドル５０１が被験者に握られることで、被験者と接触する。図３の（２）に示す例では、ハンドル電極「１」は被験者の右手と接触し、ハンドル電極「２」は被験者の左手と接触する。
【００２７】
シート上部電極２０２とシート下部電極２０３とについて説明する。シート上部電極２０２とシート下部電極２０３とは、電位測定部２０４と接続される。シート上部電極２０２は、ハンドル５０１に設けられた電極とは別の箇所に設けられる。例えば、シート上部電極２０２とシート下部電極２０３とは、車両のシート５０２に設けられる。シート下部電極２０３は、アースと接地され、車両の電位と等しくなる。シート下部電極２０３は、心拍検出用加湿装置１００によって基準電極として用いられる。
【００２８】
図４を用いて、車両のシート５０２に設けられたシート上部電極２０２やシート下部電極２０３の一例について説明する。図４は、車両のシートに設けられたシート上部電極やシート下部電極の一例について説明する図である。図４の（１）は、車両のシート上部から見た図であり、図４の（２）は、車両のシートの断面図である。図４において、５０２は車両のシートを示し、５０３はシート５０２の部材であるシート部材を示し、５０４はシート下部電極２０３を示し、５０５は絶縁層を示し、５０６と５０７とはシート上部電極２０２を示す。また、図４において、５０８は保護部材を示し、５０９は導電部を示す。
【００２９】
図４に示す例では、シート部材５０３上に、シート下部電極５０４、絶縁層５０５、シート上部電極５０６や５０７、保護部材５０８が順に積層される。また、保護部材５０８には、導電部５０９が設けられる。導電部５０９は、シート上部電極５０６や５０７と接続される。例えば、保護部材５０８は、開口部を有し、導電部５０９は、開口部の内壁に設けられる。図４に示す例では、図４の５０６と５０７とに示すように、シート上部電極５０６や５０７は、２つに分離している場合を例に示した。この場合、シート上部電極５０６と５０７とは、それぞれ、被験者の臀部の右側と左側とに対応する。シート下部電極５０４は、絶縁層５０５を介してシート上部電極５０６や５０７と対向する。なお、シート上部電極２０２は、複数に分離している場合に限定されるものではなく、分離していなくても良い。
【００３０】
なお、以下では、２つに分離したシート上部電極５０６と５０７とを区別しない場合を例に説明するが、本発明はこれに限定されるものではない。例えば、２つに分離したシート上部電極５０６と５０７と、それぞれ電気的に独立し、後述する電位測定部２０４が、シート上部電極５０６と５０７とについて、別個に電位を測定しても良い。
【００３１】
図２の説明に戻る。シート上部電極２０２は、被験者がシート５０２に着座することで被験者と電気的に接触する。図４に示す例では、被験者がシート５０２に着座する結果、シート上部電極２０２が導電部５０９を介して被験者の臀部と接触する。なお、実施例２では、特に言及しない限り、シート上部電極２０２が被験者と接触した場合を例に説明する。つまり、実施例２では、被験者がシート５０２に着座した場合を例に説明する。
【００３２】
（電位測定部）
電位測定部２０４は、ハンドル電極２０１、シート上部電極２０２、シート下部電極２０３及び制御部４００と接続される。電位測定部２０４は、オペアンプが該当する。電位測定部２０４は、被験者の心臓を間に挟む２つの位置の電位をそれぞれ測定する。具体的には、電位測定部２０４は、車両の電位を基準電位とした場合におけるハンドル電極２０１やシート上部電極２０２の電位をそれぞれ測定する。つまり、電位測定部２０４は、ハンドル電極「１」やハンドル電極「２」の電位を測定することで被験者の手の電位を測定し、シート上部電極２０２の電位を測定することで被験者の臀部の電位を測定する。
【００３３】
図５を用いて、電位測定部２０４により測定される電位について更に説明する。図５は、実施例２における電位測定部により測定される電位について説明する図である。図５では、説明の便宜上、「２」個あるハンドル電極２０１が、それぞれ、被験者の左右の手によって接触された場合を例に説明する。
【００３４】
被験者の心臓から腕までは、電気的には抵抗成分とみなせる。被験者の手は、電気的にはＲＣ（resistor  capacitor）並列回路とみなせる。被験者の心臓から臀部までは電気的には抵抗成分とみなせる。また、手袋やズボンやスカートなどの着衣は電気的にはＲＣ並列回路とみなせる。この結果、被験者自身を含む等価回路は図５に示すようになる。図５において、５１０から５１２は、オペアンプを示し、電位測定部２０４に対応する。５１３は被験者の心臓を示す。５１４は、運転者の心臓５１３から右腕までの抵抗成分を示す。５１５は、右手に対応するＲＣ並列回路を示す。５１６は、運転者の心臓５１３から左腕までの抵抗成分を示す。５１７は、左手に対応するＲＣ並列回路を示す。５１８は、心臓５１３から臀部までの抵抗成分を示す。５１９は、被験者の衣服に対応するＲＣ並列回路を示す。
【００３５】
図５に示すように、オペアンプ５１０は、２つの入力を有する。オペアンプ５１０は、一方の入力に対して、抵抗５１４とＲＣ並列回路５１５とを経由して心臓５１３の心筋活動電位がハンドル電極「１」から入力され、他方の入力に対して、基準電位となる車体の電位がシート下部電極２０３から入力される。そして、オペアンプ５１０は、車体フレームの電位を基準電位とした場合における心筋活動電位を増幅した上で出力する。つまり、図５に示す例では、オペアンプ５１０は、運転者の右手から心筋活動電位を検知し、検出した心筋活動電位を増幅した上で出力する。
【００３６】
また、オペアンプ５１１は、オペアンプ５１０と同様に、抵抗５１６とＲＣ並列回路５１７とを経由して心臓５１３の心筋活動電位がハンドル電極「２」から入力され、心筋活動電位を増幅した上で出力する。つまり、オペアンプ５１１は、運転者の左手から心筋活動電位を検知し、増幅した上で出力する。
【００３７】
また、オペアンプ５１２は、オペアンプ５１０と同様に、抵抗５１８とＲＣ並列回路５１９とを経由して心臓５１３の心筋活動電位がシート上部電極２０２から入力され、心筋活動電位を増幅した上で出力する。つまり、オペアンプ５１２は、運転者の臀部から心筋活動電位を検知し、増幅した上で出力する。
【００３８】
なお、オペアンプ５１０〜５１２が心筋活動電位を増幅した上で送るのは、車体フレームの電位を基準電位とした場合における心筋活動電位が微弱だからである。また、オペアンプ５１０〜５１２は、固定の増幅率を用いて増幅する。また、被験者の臀部から検知される心筋活動電位は、ＲＣ並列回路５１９を介して検知される結果、つまり、被験者の衣服を介して検知される結果、被験者の手から検知される心筋活動電位と比較して小さい。言い換えると、被験者の臀部から検知される心筋活動電位は、被験者の手から検知される心筋活動電位と比較して、ノイズが大きい。
【００３９】
（送風部及び水分添加部）
送風部２０５は、水分添加部２０６及び制御部４００と接続される。送風部２０５は、例えば、車両の空調装置が該当する。送風部２０５は、ハンドル電極２０１やシート上部電極２０２と被験者との接触部に対して送風する。なお、送風部２０５によって送風される空気中には、水分添加部２０６によって水分が添加される。
【００４０】
図６Ａや図６Ｂを用いて、実施例２における送風部２０５について説明する。図６Ａや図６Ｂは、実施例２における送風部について説明する図である。図６Ａや図６Ｂに示す例では、車両のシートが、被験者に風を送るための送風路を座面に有する場合を例に説明する。
【００４１】
図６Ａや図６Ｂにおいて、５０１はハンドル電極２０１を示し、５０２は車両のシートを示す。また、図６Ａや図６Ｂにおいて、５２０は、車両のシート５０２のうち、シート上部電極２０２やシート下部電極２０３が設けられた部分を示す。また、図６Ａや図６Ｂにおいて、５２１や５２２は、送風部２０５によって送風される空気の流れを示す。
【００４２】
図６Ａに示す例では、送風部２０５は、車両のシート５０２に設けられた送風路を介して、シート５０２の座面から被験者に向けて送風する。例えば、図６Ｂに示す例では、送風部２０５は、シート上部電極２０２やシート下部電極２０３を貫通して設けられた送風部を介して、シート５０２の座面と被験者との接触部に対して送風する。
【００４３】
水分添加部２０６は、送風部２０５及び制御部４００と接続される。水分添加部２０６は、例えば、車両の空調装置が該当する。水分添加部２０６は、送風部２０５によって送風される空気中に水分を添加する。例えば、水分添加部２０６は、被験者の衣服を除湿する場合には、送風部２０５によって送風される空気中に水分を添加しなかったり、送風部２０５によって送風される空気中から水分を除去したりする。また、例えば、水分添加部２０６は、被験者の衣服を加湿する場合には、送風部２０５によって送風される空気中に水分を添加する。水分添加部２０６の例として、水分を霧状にする超音波式のミスト発生器が考えられる。
【００４４】
（記憶部）
記憶部３００は、制御部４００と接続される。記憶部３００は、制御部４００による各種処理に用いるデータを記憶する。記憶部３００は、例えば、ＲＡＭ（Random  Access  Memory）やＲＯＭ（Read  Only  Memory）、フラッシュメモリ（Flash  Memory）などの半導体メモリ素子、又は、ハードディスクや光ディスクなどの記憶装置である。記憶部３００は、図２に示す例では、記憶部３００は、判定用テーブル３０１と、制御用テーブル３０２とを有する。
【００４５】
判定用テーブル３０１は、衣服の素材ごとに、電位差信号に含まれるノイズの強度や素材の極性、電位差信号の変化のしやすさを記憶する。ここで、電位差信号とは、制御部４００の電位差測定部４０１によって測定される信号である。例えば、電位差信号は、ハンドルに設けられた複数のハンドル電極２０１間の電位差を示す信号や、ハンドル電極２０１とシート上部電極２０２との電位差を示す信号が該当する。
【００４６】
また、判定用テーブル３０１によって記憶される極性とは、素材に発生する静電気の極性を示し、「プラス」又は「マイナス」となる。ハンドル電極２０１は、ハンドル握る素手、もしくは手袋を介して被験者と電気的に接触する。シート上部電極２０２は、スカートやジーンズなどを介して被験者と電気的に接触する。以下の説明では、手袋も衣服の一種として説明する。ここで、被験者と衣服との間の摩擦や、衣服と電極との間の摩擦によって、衣服には静電気が発生する。被験者の衣服の素材によって、衣服に発生する静電気の極性は異なる。つまり、判定用テーブル３０１によって記憶される極性とは、衣服の素材に静電気が発生した場合の、発生した静電気の極性を示す。なお、極性がプラスである場合とマイナスである場合では、電位差信号の位相が逆になる。
【００４７】
また、判定用テーブル３０１によって記憶される電位差信号の変化のしやすさとは、電極と電気的に接触した衣服に対して加湿したり除湿したりすることで、電位差信号に含まれるノイズがうける影響の強さを示す。例えば、電位差信号の変化のしやすさが大きければ大きいほど、加湿したり除湿したりすることでノイズの強度は早く変化する。また、例えば、電位差信号の変化のしやすさが小さければ小さいほど、加湿したり除湿したりすることでノイズの強度は遅く変化する。
【００４８】
図７を用いて、電位差信号の変化のしやすさについて更に説明する。図７は、電位差信号の変化のしやすさについて更に説明する図である。図７の６０１〜６０５は、電位差信号を示す。また、図７の６０６は、電位差信号に含まれるノイズを示し、図７の６０７は、電位差信号に含まれる心拍信号を示す。また、図７の６１１に示す矢印は、加湿した場合における電位差信号の変化の方向を示し、図７の６１２は、除湿した場合における電位差信号の変化の方向を示す。
【００４９】
図７の６１１に示すように、電位差信号は、電極と被験者との接触部が加湿されると、電位差信号に含まれるノイズが減少する。図７に示すように、６０１〜６０５へと変化するに従って、電位差信号に含まれるノイズは減少する。また、図７の６１２に示すように、電位差信号は、電極と被験者との接触部が除湿されると、電位差信号に含まれるノイズが増加する。図７に示すように、６０５〜６０１へと変化するに従って、電位差信号に含まれるノイズは増加する。
【００５０】
つまり、電位差信号の変化のしやすさが大きければ大きいほど、加湿時には、電位差信号に含まれるノイズの単位時間あたりの減少量が大きくなり、除湿時には、電位差信号に含まれるノイズの単位時間あたりの増加量が大きくなることを示す。また、同様に、電位差信号の変化のしやすさが小さければ小さいほど、加湿時には、電位差信号に含まれるノイズの単位時間あたりの減少量が小さくなり、除湿時には、電位差信号に含まれるノイズの単位時間あたりの増加量が小さくなることを示す。
【００５１】
図８を用いて、実施例２における判定用テーブル３０１に記憶された情報の一例について説明する。図８は、実施例２における判定用テーブルに記憶された情報の一例について説明する。図８に示す例では、判定用テーブル３０１は、衣服の素材を示す「素材名」に対応付けて、電位差信号に含まれるノイズの強度を示す「両手ノイズ」や「片手ノイズ」と、衣服の極性を示す「極性」と、電位差信号の変化のしやすさを示す「変化」とを対応づけて記憶する。
【００５２】
ここで、「両手ノイズ」とは、ハンドルに設けられた複数のハンドル電極２０１間の電位差を示す電位差信号に含まれるノイズの強度を示す。「片手ノイズ」とは、ハンドル電極２０１とシート上部電極２０２との間の電位差を示す電位差信号に含まれるノイズの強度を示す。
【００５３】
図８に示す例では、判定用テーブル３０１は、素材名「ウール系」に対応づけて、両手ノイズ「中」と片手ノイズ「大」と極性「プラス」と変化「中」とを記憶する。すなわち、電極と接触した衣服の素材がウール系である場合に、両手ノイズは中程度であり、片手ノイズは大程度であり、ウール系の衣服に発生した静電気の極性はプラスであり、電位差信号の変化のしやすさは中程度であることを記憶する。また、判定用テーブル３０１は、素材名「ポリエステル系」や「綿系」などについても、「ウール系」と同様に、両手ノイズや片手ノイズ、極性や変化を記憶する。当然ながら判定用テーブル３０１に記憶する素材名は、図８に例示されたものに限る必要は無く、さらに多くの素材名を記憶しても構わない。
【００５４】
なお、図８に示す例では、両手ノイズや片手ノイズ、変化について、説明の便宜上、「大」「中」「小」などを用いて示したが、本発明はこれに限定されるものではい。例えば、両手ノイズや片手ノイズについては、ノイズの強度の平均値を示す閾値を用いても良く、任意の情報を用いて良い。また、変化については、所定時間あたりの変化量の範囲を示す閾値を用いても良く、任意の情報を用いて良い。
【００５５】
また、図８に示す例では、判定用テーブル３０１は、加湿処理時における電位差信号の変化のしやすさと、除湿処理時における電位差信号の変化のしやすさとをまとめて、「変化」として記憶する場合を例に説明した。つまり、図８に示す「変化」は、衣服の素材の吸湿性と放湿性とを考慮したうえで決定される値になる。しかしながら、本発明はこれに限定されるものではない。例えば、判定用テーブル３０１は、加湿処理時における電位差信号の変化のしやすさと、除湿処理時における電位差信号の変化のしやすさとを別個に記憶しても良い。この場合、加湿処理時における電位差信号の変化のしやすさは、衣服の素材の吸湿性によって決定される値になり、除湿処理時における電位差信号の変化のしやすさは、衣服の素材の放湿性によって決定される値になる。
【００５６】
判定用テーブル３０１に記憶された情報は、例えば、心拍検出用加湿装置２００を製造する製造者によって予め設定される。また、判定用テーブル３０１に記憶された情報は、後述する制御部４００の素材判定部４０４によって用いられる。
【００５７】
制御用テーブル３０２は、衣服の素材ごとに、送風部２０５や水分添加部２０６の制御情報を記憶する。つまり、制御用テーブル３０２は、衣服の素材ごとに、加湿や除湿の強さを記憶する。図９を用いて、実施例２における制御用テーブル３０２によって記憶された情報の一例について説明する。図９は、実施例２における制御用テーブルによって記憶された情報の一例について説明する図である。
【００５８】
図９に示す例では、制御用テーブル３０２は、「素材名」ごとに、加湿処理時における「加湿量」及び「風量」と、除湿処理時における「除湿量」及び「風量」とを記憶する。ここで、図９の「加湿量」や「除湿量」は、送風部２０５によって送風される空気中に含まれる水分量を示す。例えば、「加湿量」が大きければ大きいほど、「除湿量」が小さければ小さいほど、水分量は多くなる。また、「加湿量」が小さければ小さいほど、「除湿量」が大きければ大きいほど、水分量は少なくなる。また、図９の「風量」は、送風部２０５による送風の強さを示す。例えば、「風量」が大きければ大きいほど、送風が強いことを示し、「風量」が小さければ小さいほど、送風が弱いことを示す。
【００５９】
図９に示す例では、制御用テーブル３０２は、素材名「ウール系」に対応づけて、加湿処理時における加湿量「大」及び風量「大」と、除湿処理時における除湿量「中」及び風量「大」を記憶する。すなわち、電極と接触した衣服の素材がウール系である場合に、後述する加湿制御部４０５によって、加湿量「大」風量「大」として加湿処理が実行され、除湿量「中」風量「大」として除湿処理が実行されることを記憶する。また、同様に、制御用テーブル３０２は、素材名「ポリエステル系」や「綿系」などについての情報も記憶する。
【００６０】
ここで、制御用テーブル３０２に記憶された加湿量は、衣服の素材の吸湿性によって決定される。つまり、衣服の素材の吸湿性が高ければ、衣服の素材の吸湿性が低い場合と比較して加湿量は小さくなる。また、衣服の素材の吸湿性が低ければ、衣服の吸湿性が高い場合と比較して加湿量は大きくなる。また、制御用テーブル３０２に記憶された除湿量は、衣服の素材の放湿性によって決定される。つまり、衣服の素材の放湿性が高ければ、衣服の素材の放湿性が低い場合を比較して除湿量は小さくなる。また、衣服の素材の放湿性が低ければ、衣服の素材の放湿性が高い場合を比較して除湿量は大きくなる。
【００６１】
なお、図９に示す例では、加湿量や除湿量、風量について、説明の便宜上、「大」「中」「小」などを用いて示したが、本発明はこれに限定されるものではく、任意の値を用いて良い。例えば、加湿量や除湿量について、単位あたりの空気中に存在する水分量を示す閾値を用いても良く、任意の情報を用いて良い。また、風量について、風速を示す閾値を用いても良く、任意の情報を用いてよい。
【００６２】
制御用テーブル３０２に記憶された情報は、例えば、心拍検出用加湿装置２００を製造する製造者によって予め設定される。また、制御用テーブル３０２に記憶された情報は、後述する制御部４００の加湿制御部４０５によって用いられる。
【００６３】
（制御部）
制御部４００は、電位測定部２０４、送風部２０５、水分添加部２０６及び記憶部３００と接続される。制御部４００は、各種の処理手順などを規定したプログラムを記憶する内部メモリを有し、種々の処理を制御する。制御部４００は、例えば、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などの電子回路である。制御部４００は、図２に示す例では、電位差測定部４０１と、安定的指標算出部４０２と、経過的指標算出部４０３と、素材判定部４０４と、加湿制御部４０５とを有する。
【００６４】
電位差測定部４０１は、被験者の心臓を間に挟む２つの位置に設けられた２つの電極間の電位差を測定し、被験者の心臓を間に挟む２つの位置の一方に設けられた２つの電極間の電位差を測定する。以下では、ある瞬間の電位差の値に限定せず、ある時間位置から継続して測定された電位差の値各々を電位差信号と記載する。
【００６５】
具体的には、電位差測定部４０１は、ハンドルとは別の箇所に設けられた電極とハンドル電極２０１との間の電位差信号を測定する。つまり、電位差測定部４０１は、ハンドル電極２０１とシート下部電極２０３との間の電位差信号を測定する。より詳細には、電位差測定部４０１は、ハンドル電極「１」とシート下部電極２０３との間の電位差信号を測定し、ハンドル電極「２」とシート下部電極２０３との間の電位差信号を測定する。また、電位差測定部４０１は、シート上部電極２０２とシート下部電極２０３との間の電位差信号を測定する。
【００６６】
また、電位差測定部４０１は、ハンドルに設けられた複数のハンドル電極２０１電極のうち２つの電極間の電位差信号を測定する。つまり、例えば、電位差測定部４０１は、ハンドル電極「１」とハンドル電極「２」との間の電位差信号を測定する。より詳細には、ハンドル電極「１」とシート下部電極２０３との間の電位差と、ハンドル電極「２」とシート下部電極２０３との間の電位差との差を測定することで、ハンドル電極「１」とハンドル電極「２」との間の電位差信号を測定する。
【００６７】
ところで、被験者が車両のシートに座っていたとしても、複数あるハンドル電極２０１には被験者の手と接触したものもあれば、接触していないものもある。また、複数あるハンドル電極２０１のすべてが、被験者と接触していない場合もある。ここで、被験者の手と接触した接触電極から算出される電位と、被験者の手と接触していない未接触電極から算出された電位とは、異なる値を示す。
【００６８】
具体的には、運転者は車両と接触している。このため、ハンドル電極２０１は、運転者によって接触されると、車両の電位である基準電位に近い電位を検知する。言い換えると、接触電極では、未接触電極によって検知される電位と比較して、基準電位に近い値が検知される。なお、シート上部電極２０２もまた、運転者の臀部と接触する。このため、シート上部電極２０２では、未接触電極にて検知される電位よりも基準電位に近い値が検知される。
【００６９】
このことを踏まえ、電位差測定部４０１は、電位の値に基づいて、被験者と電極とが電気的に接触したかを判定する。そして、電位差測定部４０１は、複数のハンドル電極２０１と被験者とが接触したと判定した場合には、ハンドルに設けられた複数のハンドル電極２０１電極のうち２つの電極間の電位差信号を測定する。また、電位差測定部４０１は、一つのハンドル電極２０１と被験者とが接触したと判定した場合には、ハンドル電極２０１とシート上部電極２０２との間の電位差信号を測定する。
【００７０】
また、電位差測定部４０１は、電位差信号に対して各種フィルタリングを行うことで、受信した電位差信号に含まれるノイズを軽減しても良い。つまり、電位差測定部４０１は、電位差信号に含まれる成分のうち、心筋活動電位に関する成分以外の成分を軽減しても良い。
【００７１】
例えば、電位差測定部４０１は、ノッチフィルタや、バンドパスフィルタ、相関フィルタを順に用いてフィルタリングしても良い。なお、ノッチフィルタは、特定の周波数の信号を減衰させるフィルタである。バンドパスフィルタは、特定の周波数を通過させるフィルタである。相関フィルタは、信号に対して、逆拡散処理（相関処理）を行うフィルタである。
【００７２】
安定的指標算出部４０２は、電位差信号から安定的指標を算出する。安定的指標とは、電位差信号に含まれるノイズの強度や、被験者の衣服の極性が該当する。なお、電位差信号には、心拍信号とノイズとが含まれる。また、被験者と電極との接触部の状態によっても異なるが、ノイズの強度は、心拍信号の強度と比較して大きい。このことを踏まえ、以下では、電位差信号に含まれるノイズの強度として、電位差信号の強度を用いる場合を例に説明する。しかしながら、本発明はこれに限定されるものではなく、電位差信号に含まれる成分のうちノイズについての強度を識別し、識別した強度を用いても良い。
【００７３】
電位差信号の強度を算出する処理の一例について説明する。安定的指標算出部４０２は、電位差信号のＲＭＳ（Root  Mean  Square  Value）を算出することで、電位差信号の強度を算出する。例えば、安定的指標算出部４０２は、「数１」や「数２」を用いてＲＭＳを算出する。そして、例えば、安定的指標算出部４０２は、ハンドル電極「１」と「２」との間について、電位差信号の強度が「中」であると算出する。つまり、安定的指標算出部４０２は、両手ノイズが「中」であると算出する。
【００７４】
【数１】
0005440132.tif 000002
【００７５】
【数２】
0005440132.tif 000003
【００７６】
「数１」と「数２」とについて簡単に説明する。「数１」や「数２」は、時間「０」から「Ｔ」までにおけるＲＭＳを算出する式である。「数１」や「数２」の「ｉ」は、電位差信号の値を示す。つまり、「数１」は、「ｉ」の２乗について時間「０」から「Ｔ」までの平均値を算出し、算出した平均値の平方根を算出することを示す。
【００７７】
「数２」について、図１０を用いて説明する。図１０は、ＲＭＳを算出する数２について説明する図である。図１０の（１）は、電位差測定部４０１によって測定された電位差信号の一例を示す。図１０の（２）は、電位差測定部４０１によって測定された電位差信号にかかっているオフセットを示す。図１０の（３）は、電位差測定部４０１によって測定された電位差信号の平均強度を示す。図１０の（４）は、電位差測定部４０１によって測定された電位差信号からオフセットを除去した電位差信号の一例を示す。
【００７８】
ここで、図１０の（１）や（２）に示すように、電位差測定部４０１によって測定された電位差信号には、オフセットがかかっている。このため、図１０の（４）に示すように、安定的指標算出部４０２は、電位差信号からオフセットを除去した上でＲＭＳを算出しても良い。つまり、「数２」は、「ｉから（ｉの平均値）を減算した値」の２乗について時間「０」から「Ｔ」までの平均値を算出し、算出した平均値の平方根を算出することを示す。なお、（ｉの平均値）は、図１０の（３）に示した電位差信号の平均強度が該当する。
【００７９】
被験者の衣服の素材の極性を算出する処理の一例について説明する。安定的指標算出部４０２は、電位差信号の値の平均値を算出し、算出した値が「プラス」であるか「マイナス」であるかを算出する。言い換えると、安定的指標算出部４０２は、電位差信号の値の平均値を算出することで、電位差信号がマイナス側と比較してプラス側に大きく変化しているか、電位差信号がプラス側と比較してマイナス側に大きく変化しているかを識別する。
【００８０】
図１１を用いて、被験者の衣服の極性を算出する処理の一例について更に説明する。図１１は、実施例２における安定的指標算出部４０２による極性算出処理の一例について説明する図である。図１１の横軸は、時間軸を示す。図１１の縦軸は、電位差信号の値の平均値を示す。図１１に示す例では、電位差信号の値の平均値は、プラスとなっており、安定的指標算出部４０２は、被験者の衣服に発生した静電気の極性がプラスであると識別する。
【００８１】
また、例えば、安定的指標算出部４０２は、安定的指標を算出する場合には、安定的指標を所定回数繰り返し算出し、算出結果として得られた値の分散を評価する。そして、安定的指標算出部４０２は、分散を評価することで、算出した安定的指標のうち最も確からしい値を安定的指標として確定しても良い。
【００８２】
経過的指標算出部４０３は、電位差信号から経過的指標を算出する。経過的指標とは、電位差信号の変化のしやすさが該当する。例えば、経過的指標算出部４０３は、所定時間あたりのノイズの減少量や増加量を算出することで、電位差信号の変化のしやすさを算出する。
【００８３】
また、例えば、経過的指標算出部４０３は、経過的指標を算出する場合には、経過的指標を所定回数繰り返し算出し、算出結果として得られた値の分散を評価する。そして、経過的指標算出部４０３は、分散を評価することでもっとも確からしい値を経過的指標として確定しても良い。
【００８４】
素材判定部４０４は、安定的指標算出部４０２や経過的指標算出部４０３による算出結果に基づいて、被験者の衣服の素材を判定する。言い換えると、素材判定部４０４は、被験者の衣服の素材の吸湿性や放湿性を判定する。具体的には、素材判定部４０４は、安定的指標や経過的指標を検索キーとして判定用テーブル３０１を検索する。そして、素材判定部４０４は、検索キーに一致する素材名を判定用テーブル３０１から取得する。ここで、素材判定部４０４が判定用テーブル３０１から取得した素材名が、判定結果となる。
【００８５】
例えば、安定的指標として、極性「プラス」と両手ノイズ「中」とが算出された場合を例に説明する。素材判定部４０４は、極性「プラス」と両手ノイズ「中」とを検索キーとして、判定用テーブル３０１を検索する。そして、素材判定部４０４は、判定用テーブル３０１から、極性「プラス」と両手ノイズ「中」とに一致する素材名「ウール系」を読み出す。
【００８６】
加湿制御部４０５は、素材判定部４０４による判定結果に基づいて、電極と被験者との接触部に対する加湿制御の強さを制御する。例えば、加湿制御部４０５は、判定結果に対応する制御情報を制御用テーブル３０２から読みだす。そして、加湿制御部４０５は、読み出した制御情報を用いて送風部２０５と水分添加部２０６とを制御することで、加湿制御の強さを制御する。具体的には、加湿制御部４０５は、制御情報を用いて、加湿処理の強さを制御し、除湿処理の強さを制御する。
【００８７】
例えば、素材判定部４０４によって、衣服の素材が「ウール系」であると識別された場合を用いて説明する。この場合、加湿制御部４０５は、判定結果となる「ウール系」に対応する制御情報を制御用テーブル３０２から読み出す。図９に示す例では、加湿制御部４０５は、制御用テーブル３０２から、加湿処理時における加湿量「大」及び風量「大」と、除湿処理時における除湿量「中」及び風量「大」を読み出す。そして、例えば、加湿処理時には、加湿制御部４０５は、加湿量が「大」になるように水分添加部２０６を制御し、風量が「大」になるように送風部２０５を制御する。また、例えば、除湿処理時には、加湿制御部４０５は、除湿量が「中」になるように水分添加部２０６を制御し、風量が「大」になるように送風部２０５を制御する。
【００８８】
また、加湿制御部４０５は、電位差信号の強度を示す閾値を予め保持しておき、電位差信号の強度が閾値より大きい場合に、加湿処理を実行する。また、例えば、加湿制御部４０５は、電位差信号の強度が閾値より小さい場合には、除湿処理を実行する。また、例えば、加湿制御部４０５は、電位差信号の強度が閾値より大きくも小さくもない場合には、現在の衣服の状態を維持するための維持処理を実行する。なお、維持処理とは、例えば、被験者の汗などによる加湿と同程度の除湿処理を実行したり、自然乾燥と同程度の加湿処理を実行したり、送風部２０５や水分添加部２０６が何もしないように制御したりすることなどが該当する。
【００８９】
図１２を用いて、実施例２における加湿制御部４０５による処理の一例について説明する。図１２は、実施例２における加湿制御部による処理の一例について説明する図である。図１２において、横軸は時間軸を示し、縦軸は電位差信号の強度を示す。図１２に示す例では、電位差信号の強度を示す閾値が「５０」である場合を例に説明する。
【００９０】
また、図１２に示す例では、「ｔ０」において、被験者が車両のシートに座った場合を例に説明する。また、「ｔ０」から「ｔ２」までの間に、素材判定部４０４が素材判定処理を実行した場合を例に説明する。また、「ｔ０」から「ｔ１」までの間には、送風部２０５や水分添加部２０６が、初期動作として、除湿処理を実行した場合を例に示した。つまり、図１２に示すように、「ｔ０」から「ｔ１」までの間では、電位差信号の強度が上がる場合を例に示した。また、「ｔ１」から「ｔ２」までの間には、送風部２０５や水分添加部２０６が、初期動作として、加湿処理を実行した場合を例に示した。つまり、図１２に示すように、「ｔ１」から「ｔ２」までの間では、電位差信号の強度が下がる場合を例に示した。以下では、図１２の「ｔ２」の時点において、素材判定部４０４による判定結果が得られた場合を例に説明する。
【００９１】
図１２の「ｔ２」において、加湿制御部４０５は、判定結果に対応する制御情報を読み出し、「ｔ２」以降、読み出した制御情報に従って、送風部２０５と水分添加部２０６とを制御する。例えば、加湿制御部４０５は、「ｔ２」から「ｔ３」までの間、制御用テーブル３０２から読み出した加湿処理時における加湿量及び風量を用いて、加湿処理を制御する。そして、図１２の「ｔ３」において、電位差信号の強度が閾値より小さくなると、「ｔ３」から「ｔ４」までの間、制御用テーブル３０２から読み出した除湿処理時における除湿量及び風量を用いて、除湿処理の強さを制御する。そして、図１２の「ｔ４」において、除湿処理の結果電位差信号の強度が閾値と等しくなると、加湿制御部４０５は、「ｔ４」以降、維持処理を実行する。
【００９２】
なお、図１２に示す例では、加湿処理の後、除湿処理が実行される場合を例に説明したが、本発明はこれに限定されるものではない。例えば、加湿処理の結果、電位差信号の強度が閾値より小さくなることなく等しくなると、加湿制御部４０５は、加湿処理の後、維持処理を実行する。
【００９３】
ここで、加湿制御部４０５は、判定結果により特定される被験者の衣服の素材が他の衣服の素材と比較して吸湿性が低い場合には、他の衣服の素材と比較して高い電位差信号の強度を示す閾値になるように加湿制御を実行しても良い。また、加湿制御部４０５は、判定結果により特定される被験者の衣服の素材が他の衣服の素材と比較して吸湿性が高い場合には、他の衣服の素材と比較して低い電位差信号の強度を示す閾値になるように加湿制御を実行しても良い。
【００９４】
つまり、加湿制御部４０５は、電位差信号の強度を示す閾値として、衣服の素材ごとに異なる値を用いても良い。例えば、加湿制御部４０５が、ウール系の衣服について、電位差信号の強度を示す閾値として「３０」を用いる場合を例に説明する。この場合、加湿制御部４０５は、ウール系の衣服よりも吸湿性が低いポリエステル系の衣服について、「３０」よりも大きい閾値「６０」を用いても良い。つまり、この場合、加湿制御部４０５は、電位差信号の強度が「６０」になるように、加湿処理や除湿処理などを実行する。
【００９５】
なお、心拍検出用加湿装置２００は、更に、電位差信号から被験者の脈拍や心拍を識別し、識別した被験者の脈拍や心拍の状態を用いて被験者の生理状態を検出しても良い。
【００９６】
［心拍検出用加湿装置による処理］
次に、図１３を用いて、実施例２に係る心拍検出用加湿装置２００による処理の流れの一例について説明する。図１３は、実施例２に係る心拍検出用加湿装置による処理の流れの一例について説明するフローチャートである。なお、以下では、特に言及しない限り、複数のハンドル電極２０１と被験者とが接触した場合を用いて説明する。
【００９７】
図１３に示すように、電位差測定部４０１が電位差信号を測定すると（ステップＳ１０１肯定）、安定的指標算出部４０２は、安定的指標を算出する（ステップＳ１０２）。例えば、安定的指標算出部４０２は、両手ノイズが「中」であると算出する。また、経過的指標算出部４０３は、経過的指標の算出を開始する（ステップＳ１０３）。
【００９８】
そして、素材判定部４０４は、安定的指標を用いて素材判定処理を実行する（ステップＳ１０４）。つまり、素材判定部４０４は、安定的指標に基づいて、被験者の衣服の吸湿性を判定する。ここで、例えば、素材判定部４０４は、安定的指標を検索キーとして判定用テーブル３０１を検索する。例えば、素材判定部４０４は、極性「プラス」と両手ノイズ「中」とを検索キーとして、判定用テーブル３０１を検索する。そして、素材判定部４０４は、一致した素材名が判定用テーブル３０１にあると（ステップＳ１０５肯定）、一致した素材名を判定用テーブル３０１から読み出す。例えば、素材判定部４０４は、判定用テーブル３０１から、極性「プラス」と両手ノイズ「中」とに一致する素材名「ウール系」を読み出す。
【００９９】
そして、加湿制御部４０５は、素材判定部４０４による判定結果に基づいた加湿制御を実行する（ステップＳ１０６）。例えば、素材名「ウール系」であると判定された場合には、加湿制御部４０５は、素材名「ウール系」を検索キーとして制御用テーブル３０２から制御情報を取得し、取得した制御情報を用いて加湿制御を実行する。
【０１００】
一方、素材判定部４０４は、一致した素材名が判定用テーブル３０１にないと（ステップＳ１０５否定）、経過的指標算出部４０３によって経過的指標が算出済みであるかを判定する（ステップＳ１０７）。ここで、素材判定部４０４が、経過的指標が算出済みでないと判定すると（ステップＳ１０７否定）、安定的指標算出部４０２が安定的指標を再度算出する（ステップＳ１０８）。その後、素材判定部４０４は、上述のステップＳ１０４に戻り、再度算出された安定的指標を用いて、素材判定処理を再度実行する（ステップＳ１０４）。その後、上述したステップＳ１０５において一致した素材名が判定用テーブル３０１にある場合や（ステップＳ１０５肯定）、経過的指標が算出済みと判定されるまで（ステップＳ１０７肯定）、上述したステップＳ１０４〜Ｓ１０８の処理を繰り返す。
【０１０１】
そして、経過的指標算出部４０３によって経過的指標が算出済みと判定されると（ステップＳ１０７肯定又はステップＳ１０９肯定）、素材判定部４０４は、経過的指標を用いて素材判定処理を実行する（ステップＳ１１０）。具体的には、上述したステップＳ１０２にて算出された安定的指標に加えて、経過的指標を更に用いて、素材判定処理を実行する。例えば、経過的指標算出部４０３によって変化「中」が算出された場合を例に説明する。この場合、素材判定部４０４は、極性「プラス」と両手ノイズ「中」と変化「中」とを検索キーとして、判定用テーブル３０１を検索する。
【０１０２】
ここで、安定的指標算出部４０２は、一致した素材名が判定用テーブル３０１にあると（ステップＳ１１１肯定）、一致した素材名を判定用テーブル３０１から読み出す。例えば、素材判定部４０４は、判定用テーブル３０１から、極性「プラス」と両手ノイズ「中」と変化「中」とに一致する素材名「ウール系」を読み出す。そして、加湿制御部４０５は、上述したステップＳ１０６と同様に、素材判定部４０４による判定結果に基づいた加湿制御を実行する（ステップＳ１１２）。
【０１０３】
一方、素材判定部４０４は、一致した素材名が判定用テーブル３０１にないと（ステップＳ１１１否定）、安定的指標算出部４０２は、安定的指標を再度算出する（ステップＳ１１３）。そして、経過的指標算出部４０３は、経過的指標を再度算出する（ステップＳ１１４）。そして、上述のステップＳ１１０に戻り、素材判定部４０４は、再度算出された安定的指標と経過的指標とを用いて、素材判定処理を再度実行する（ステップＳ１１０）。その後、上述したステップＳ１１０において判定用テーブル３０１の素材名と一致するまで（ステップＳ１１１肯定）、上述したステップＳ１１０〜Ｓ１１４の処理を繰り返す。
【０１０４】
なお、上記の処理手順は、上記の順番に限定されるものではなく、処理内容を矛盾させない範囲で適宜変更しても良い。例えば、上述のステップＳ１０２とＳ１０３、あるいは、ステップＳ１１３とＳ１１４とについて、処理を平行して実行しても良く、順番を入れ替えても良い。また、図１３に示す例では、まず、安定的指標を用いて素材名を判定する場合を例に説明したが、本発明はこれに限定されるものではなく、安定的指標と経過的指標とが算出された後に、素材判定処理を実行しても良い。
【０１０５】
［加湿制御部による処理］
次に、図１４を用いて、実施例２における加湿制御部４０５による処理の流れの一例について説明する。図１４は、実施例２における加湿制御部による処理の流れの一例について説明するフローチャートである。図１４に示す一連のフローチャートは、図１３におけるステップＳ１０６やＳ１１２において、加湿制御部４０５によって実行される。
【０１０６】
図１４に示すように、加湿制御部４０５は、ノイズの強度が閾値よりも大きいかを判定する（ステップＳ２０１）。ここで、加湿制御部４０５は、ノイズの強度が閾値より大きいと判定すると（ステップＳ２０１肯定）、加湿処理を実行する（ステップＳ２０２）。また、加湿制御部４０５は、ノイズの強度が閾値より大きいと判定しないと（ステップＳ２０１否定）、ノイズの強度が閾値よりも小さいかを判定する（ステップＳ２０３）。ここで、加湿制御部４０５は、ノイズの強度が閾値よりも小さいと判定すると（ステップＳ２０３肯定）、除湿処理を実行する（ステップＳ２０４）。
【０１０７】
そして、加湿制御部４０５は、ノイズの強度が閾値より大きいと判定せず（ステップＳ２０１否定）、ノイズの強度が閾値よりも小さいと判定しないと（ステップＳ２０３否定）、維持処理を実行する（ステップＳ２０５）。つまり、加湿制御部４０５は、例えば、加湿処理も除湿処理も実行しないことで、電極と被験者との接触部の状況をそのままに維持する。
【０１０８】
なお、上記の処理手順は、上記の順番に限定されるものではなく、処理内容を矛盾させない範囲で適宜変更しても良い。例えば、上記のステップＳ２０１とＳ２０３との順番を入れ替えても良い。
【０１０９】
［実施例２の効果］
上述したように、実施例２によれば、心拍検出用加湿装置２００は、ハンドルに設けられた複数の電極のうち２つの電極間の電位差信号、又は、操舵部とは別の箇所に設けられた電極と操舵部に設けられた電極との間の電位差信号を測定する。そして、心拍検出用加湿装置２００は、電位差信号から、被験者の衣服の極性や電位差信号の強度を算出する。そして、心拍検出用加湿装置２００は、算出結果に基づいて被験者の衣服の吸湿性を判定し、判定結果に基づいて電極と被験者との接触部に対する加湿処理の強さを制御する。この結果、実施例２によれば、過不足なく加湿可能である。この結果、被験者を不快にさせることなく電気信号を速やかに測定可能である。例えば、車両の運転者である被験者の心拍信号に基づいて生理状態を推定し、生理状態悪化による事故発生を抑止することを考える。その場合、電気信号を速やかに測定可能であることは、運転開始から時間をおかずに事故発生を抑止できることを意味する。
【０１１０】
図１５Ａと図１５Ｂとを用いて、実施例２に係る心拍検出用加湿装置２００の効果について説明する。図１５Ａと図１５Ｂとは、実施例２に係る心拍検出用加湿装置の効果について説明する図である。図１５Ａは、加湿処理時における電位差信号の強度の一例を示し、図１５Ｂは、除湿処理時における電位差信号の強度の一例を示す。図１５Ａの（１）や（２）、図１５Ｂの（１）や（２）において、横軸は時間軸を示し、縦軸は、電位差信号の強度を示す。また、図１５Ａの６２１は、被験者の衣服の吸湿性が高い場合における電位差信号の強度を示し、図１５Ａの６２２や６２２ａは、被験者の衣服の吸湿性が低い場合における電位差信号の強度を示す。図１５Ｂの６２３は、被験者の衣服の放湿性が高い場合における電位差信号の強度を示し、図１５Ｂの６２４や６２４ａは、被験者の衣服の吸湿性が低い場合における電位差信号の強度を示す。
【０１１１】
図１５Ａの（１）を用いて、被験者の衣服の吸湿性に関係なく加湿処理を実行する場合について説明する。この場合、図１５の６２２に示すように、被験者の衣服の吸湿性が低い場合には、図１５の６２１に示すように、被験者の衣服の吸湿性が高い場合と比較して、電位差信号の強度を閾値に近づけるのに時間がかかっていた。また、例えば、被験者が吸湿性の高い衣服を着ている場合には、衣服が水分を効率よく吸収する結果、衣服を加湿しすぎることがあった。この結果、被験者が湿りすぎた衣服を着用することになり、被験者を不快にさせていた。
【０１１２】
これに対して、実施例２によれば、衣服の吸湿性に応じて加湿処理の強さを制御する。この結果、図１５Ａの（２）の６２２ａに示すように、被験者の衣服の吸湿性が低い場合には、加湿処理を相対的に強くすることで、電位差信号のノイズを迅速に減少させることが可能である。また、被験者が吸湿性の高い衣服を着ている場合であっても、加湿処理を相対的に弱くすることで、被験者を不快にさせることなく、加湿することが可能である。
【０１１３】
また、図１５のＢの（１）を用いて、被験者の衣服の放湿性に関係なく除湿処理を実行する場合について説明する。この場合、図１５の６２４に示すように、被験者の衣服の放湿性が低い場合には、図１５の６２３に示すように、被験者の衣服の放湿性が高い場合と比較して、電位差信号の強度を閾値に近づけるのに時間がかかっていた。また、除湿に時間がかかる結果、被験者を不快にさせていた。また、例えば、被験者が放湿性が高い衣服を着ている場合には、衣服が水分を効率よく放湿する結果、衣服を除湿しすぎることがあった。
【０１１４】
これに対して、実施例２によれば、衣服の放湿性に応じて加湿処理の強さを制御する。この結果、図１５Ｂの（２）の６２４ａに示すように、被験者の衣服の放湿性が低い場合には、除湿処理の強さを相対的に強くすることで、電位差信号のノイズを迅速に減少させることが可能である。また、被験者が放湿性が高い衣服を着ている場合には、除湿処理の強さを相対的に弱くすることで、過不足なく除湿可能である。
【０１１５】
また、実施例２によれば、加湿制御部４０５は、判定結果により特定される被験者の衣服が他の衣服と比較して吸湿性が低い場合には、他の衣服と比較して高い強度を示す閾値を用いて、加湿制御を実行する。また、加湿制御部４０５は、判定結果により特定される被験者の衣服が他の衣服と比較して吸湿性が高い場合には、他の衣服と比較して低い強度を示す閾値を用いて、加湿制御を実行する。この結果、実施例２によれば、衣服ごとに適した閾値を用いて加湿処理を制御することが可能である。
【０１１６】
例えば、吸湿性が低い衣服は、吸湿性が高い衣服と比較して、加湿によりノイズの強度が下がる速度が遅い。このため、吸湿性が高い衣服である場合には、被験者に不快を与えることなく到達できる閾値であったとしても、吸湿性が低い衣服である場合には、なかなか衣服が吸湿しない結果衣服の周囲の湿度が上がり、被験者に不快を感じさせる場合がある。このことを踏まえ、吸湿性が低ければ相対的に高い閾値を用い、吸湿性が高ければ相対的に低い閾値を用いることで、被験者に不快を感じさせない範囲でノイズの強度を下げることが可能である。
【実施例３】
【０１１７】
実施例３では、図１６を用いて、加湿制御部４０５が、車両の動作状態に基づいて、電位差信号の強度を示す閾値を調整する場合について説明する。図１６は、実施例３における動作状態に基づいて閾値を調整する処理の流れの一例について説明するフローチャートである。なお、実施例３にて調整する閾値は、加湿制御部４０５が加湿処理か除湿処理か維持処理かを決定する際に用いる閾値である。
【０１１８】
動作状態に応じて閾値を調整する意義について簡単に説明する。被験者が体を動かしたり、装置が振動したりすることで、座面に設けられた電極と被験者との接触状態は、操舵部に設けられた電極と被験者との接触状態と比較して簡単に変化する。また、電位差信号の強さは、電極自体のインピーダンスや、電極と被験者との接触部のインピーダンスによって変化する。インピーダンスが上がると、電位差信号に含まれるノイズが強くなり、電位差信号の強さも強くなる。接触部のインピーダンスは、電極と被験者との接触状態によって変化する。この結果、車両の振動や被験者の体の動きによって、電位差信号に含まれるノイズの強さが変化する。このことを踏まえ、動作状態に応じて閾値を調整することで、車両の走行状態が変化することに起因して電位差信号に含まれるノイズの強度が変化したとしても、過不足なく加湿処理を制御することが可能になる。
【０１１９】
図１６の説明に戻る。図１６に示すように、加湿制御部４０５は、心拍検出用加湿装置２００による処理が開始されると（ステップＳ３０１肯定）、車両の動作状態を示す情報である動作状態情報を取得する（ステップＳ３０２）。動作状態情報とは、例えば、車両のブレーキやアクセル、サイドブレーキ、ウインカなどの操作状態や、エンジンの回転数、ギアのポジション、車両速度、あるいは、車両の運行状態などが該当する。また、動作状態情報とは、例えば、ハンドルが両手で握られているか片手で握られているかを示す情報や、ＧＰＳ（Global  Positioning  System）から得られる現在位置情報などが該当する。例えば、加湿制御部４０５は、車両のＭＣＵ（Memory  Control  Unit）と接続され、ＭＣＵから動作状態情報を取得する。
【０１２０】
そして、加湿制御部４０５は、動作状態情報から動作状態を判定する（ステップＳ３０３）。具体的には、加湿制御部４０５は、車両がアイドリング状態にあるのか、低速走行状態にあるのか、高速走行状態にあるのかを判定する。例えば、加湿制御部４０５は、車両速度が１００ｋｍ以上である場合に、高速走行状態であると判定する。また、例えば、加湿制御部４０５は、車両速度が４０ｋｍ以下である場合に、低速走行状態であると判定する。また、例えば、加湿制御部４０５は、車両速度が０ｋｍであり、エンジンの回転数が所定回数以上である場合に、アイドリング状態であると判定する。
【０１２１】
そして、加湿制御部４０５は、電位差信号の強度を示す閾値の調整処理を実行する（ステップＳ３０４）。具体的には、加湿制御部４０５は、車両の速度が所定の閾値よりも早い場合に、所定の閾値よりも遅い場合と比較して電位差信号の強度を示す閾値を大きな値に変更する。また、加湿制御部４０５は、車両の速度が所定の閾値よりも遅い場合に、所定の閾値よりも早い場合と比較して閾値を小さい値に変更する。
【０１２２】
例えば、加湿制御部４０５は、アイドリング状態にあると判定された場合には、初期状態における閾値に対して「０．１」を乗算し、乗算により得られた値を閾値とする。また、例えば、加湿制御部４０５は、低速走行状態にあると判定された場合には、初期状態における閾値に対して「１」を乗算し、乗算により得られた値を閾値とする。また、例えば、加湿制御部４０５は、高速走行状態にあると判定された場合には、初期状態における閾値に対して「１０」を乗算し、乗算により得られた値を閾値とする。
【０１２３】
このように、実施例３では、動作状態に応じて、電位差信号の強度を示す閾値を調整する。例えば、アイドリング時や低速走行時には、車両の振動が少ないと考えられ、全体的にノイズの強度が下がると考えられるので、閾値を小さい値に変更する。また、実施例３では、高速走行時には、車両の振動が大きくなると考えられ、全体的にノイズの強度が上がると考えられるので、閾値を大きな値に変更する。この結果、実施例３によれば、車両の走行状態が変化したとしても、過不足なく加湿制御を実行することが可能である。
【実施例４】
【０１２４】
実施例２では、送風部２０５や水分添加部２０６が、初期動作として、除湿処理を一律に実行する場合を例に示した。そこで、実施例４では、被験者の着衣状態に基づいて、加湿処理を実行するか除湿処理を実行するかを決定する場合について説明する。ここで、被験者の着衣状態は、例えば、厚着であるかや薄着であるか、着衣が湿っているかや乾燥しているかなどが該当する。
【０１２５】
図１７を用いて、被験者の着衣状態に基づいて、加湿処理を実行するか除湿処理を実行するかを決定する処理の流れの一例について説明する。図１７は、実施例４における加湿処理を実行するか除湿処理を実行するかを決定する処理の流れの一例について説明するフローチャートである。
【０１２６】
図１７に示すように、電位差測定部４０１が電位差信号を測定すると（ステップＳ４０１肯定）、心拍検出用加湿装置は、環境情報を取得する（ステップＳ４０２）。例えば、心拍検出用加湿装置は、ネットワークに接続し、季節・時刻・天候（降雨）状況や、温度、湿度をネットワーク上にある任意のデータベースから取得する。そして、心拍検出用加湿装置は、着衣状態を推定する（ステップＳ４０３）。例えば、心拍検出用加湿装置は、天候が雨であったり湿度が高かったりした場合には、着衣が湿っていると推定し、天候が晴れであったり湿度が低かったりした場合には、着衣が乾いていると推定する。また、心拍検出用加湿装置は、温度が低かったり季節が冬であったりした場合には、厚着であると推定し、温度が高かったり季節が夏であったりした場合には、薄着であると推定する。
【０１２７】
ここで、心拍検出用加湿装置は、着衣が乾燥状態にあると推定したり、厚着であると推定したりした場合には（ステップＳ４０４肯定）、初期動作として加湿処理を実行する（ステップＳ４０５）。一方、心拍検出用加湿装置は、着衣が乾燥状態であったり、厚着であると推定しなかった場合には（ステップＳ４０４否定）、つまり、着衣が湿った状態であったり、薄着であると推定した場合には、初期動作として除湿処理を実行する（ステップＳ４０６）。
【０１２８】
このように、実施例４によれば、被験者の着衣状態に基づいて初期設定を変更することで、被験者に不快を与えることなく、電気信号を速やかに測定可能である。
【実施例５】
【０１２９】
さて、これまで本発明の実施例について説明したが、本発明は上記した実施例以外にも、その他の実施例にて実施されても良い。そこで、以下では、その他の実施例について説明する。
【０１３０】
［車内水分量に基づいた加湿量や除湿量の調整］
例えば、加湿制御部４０５は、車内の空気に含まれる水分量を示す車内水分量に基づいて、つまり、車内の湿度に基づいて、加湿処理時における加湿量を調整しても良い。例えば、加湿制御部４０５は、車内の湿度が低い場合には、車内の湿度が高い場合と比較して加湿量が多くなるように調整しても良く、車内の湿度が高い場合には、車内の湿度が低い場合と比較して加湿量が少なくなるように調整しても良い。
【０１３１】
また、同様に、加湿制御部４０５は、車内の湿度に基づいて、除湿処理時における除湿量を調整しても良い。例えば、加湿制御部４０５は、車内の湿度が低い場合には、車内の湿度が高い場合と比較して除湿量が低くなるように調整しても良く、車内の湿度が高い場合には、車内の湿度が低い場合と比較して除湿量が高くなるように調整しても良い。
【０１３２】
［加湿処理時における送風処理］
また、例えば、加湿制御部４０５は、加湿処理時に、被験者に対して乾燥した空気を併せて送風するように送風部２０５や水分添加部２０６を制御しても良い。すなわち、加湿処理時には、被験者が衣服のムレを感じ、不快に感じる場合がある。このため、電極と被験者との接触部に対して加湿処理を実行する場合に、被験者の他の部位に対して乾燥した空気を送風することで、被験者が不快に感じることを防止しても良い。
【０１３３】
図１８を用いて、乾燥した空気を加湿処理時に併せて送風する場合について説明する。図１８は、乾燥した空気を加湿処理時に併せて送風する場合について説明する図である。図１８の７０１〜７０５は、それぞれ、送風口を示す。図１８の７０１〜７０３は、電極と被験者との接触部からは外れた位置にある送風口である。また、図１８の７０４と７０５とは、電極と被験者との接触部に位置する送風口である。この場合、加湿制御部４０５は、加湿処理時に、送風部２０５が、送風口７０１〜７０３については、乾燥した空気を送風するように制御し、送風口７０４〜７０５については、加湿した空気を送風するように制御しても良い。
【０１３４】
［一部分に対して強く加湿］
また、例えば、加湿制御部４０５は、加湿処理開始時に、電極と接触した被験者の衣服の一部分に対して、他の部分と比較して強く加湿しても良い。図１９を用いて、電極と接触した被験者の衣服の一部分に対して強く加湿する場合について説明する。図１９は、電極と接触した被験者の衣服の一部分に対して強く加湿する場合について説明する図である。図１９に示す例では、図１９の７１０の部分に対して、加湿処理開始時に強く加湿する場合を例に示した。
【０１３５】
この結果、加湿処理開始直後であっても、図１９の７１０の部分において電位差信号を測定することで、速やかに、ノイズ強度が減少した電位差信号を速やかに測定可能である。
【０１３６】
［システム構成］
また、本実施例において説明した各処理のうち、自動的に行われるものとして説明した処理の全部又は一部を手動的に行っても良い。例えば、図１７を例に説明すると、環境情報を被験者が手動にて入力しても良い。この場合、心拍検出用加湿装置は、被験者によって入力された環境情報を用いて処理を実行する。この他、上記文書中や図面中で示した処理手順、制御手順、具体的名称、各種のデータやパラメータを含む情報（図１〜１９）については、特記する場合を除いて任意に変更することができる。
【０１３７】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。例えば、図２に示す例を用いて説明すると、ハンドル電極２０１やシート上部電極２０２を心拍検出用加湿装置２００の外部装置としてネットワーク（無線ＬＡＮ（Local  Area  Network）など）経由で接続されて協働するようにしても良い。また、判定用テーブル３０１や制御用テーブル３０２を別の装置がそれぞれ有し、ネットワーク経由で接続されて協働することで、上記した心拍検出用加湿装置２００の機能を実現するようにしても良い。
【０１３８】
［コンピュータ］
また、上記の実施例で説明した各種の処理は、予め用意されたプログラムをパーソナルコンピュータやワークステーションなどのコンピュータで実行することによって実現することができる。そこで、以下では、図２０を用いて、上記の実施例と同様の機能を有する心拍検出用加湿プログラムを実行するコンピュータの一例について説明する。なお、図２０は、実施例２に係る心拍検出用加湿プログラムを実行するコンピュータの一例について説明する図である。
【０１３９】
図２０に示すように、実施例２におけるコンピュータ３０００は、入出力インターフェイス３００１、通信部３００６、ＣＰＵ３０１０、ＲＯＭ３０１１を有する。また、コンピュータ３０００は、ＨＤＤ（Hard  Disk  Drive）３０１２、ＲＡＭ（Random  Access  Memory）３０１３を有する。また、コンピュータ３０００は、各部がバス３００９で接続される。また、コンピュータ３０００は、入出力インターフェイス３００１を介して、電位測定装置４００１、送風装置４００２及び水分添加装置４００３と接続される。なお、電位測定装置４００１と送風装置４００２と水分添加装置４００３とは、それぞれ、電位測定部２０４と送風部２０５と水分添加部２０６とに対応する。
【０１４０】
ＲＯＭ３０１１は、上記の実施例２で示した電位差測定部４０１と、安定的指標算出部４０２と、経過的指標算出部４０３と、素材判定部４０４と、加湿制御部４０５と同様の機能を発揮する制御プログラムを予め記憶する。つまり、図２０に示すように、ＲＯＭ３０１１は、電位差測定プログラム３０１１ａと、安定的指標算出プログラム３０１１ｂと、経過的指標算出プログラム３０１１ｃと、素材判定プログラム３０１１ｄと、加湿制御プログラム３０１１ｅとが予め記憶される。なお、これらのプログラム３０１１ａ〜３０１１ｅについては、図２に示した心拍検出用加湿装置２００の各構成要素と同様、適宜統合又は分離しても良い。
【０１４１】
そして、ＣＰＵ３０１０は、プログラム３０１１ａ〜３０１１ｅをＲＯＭ３０１１から読み出して実行する。この結果、各プログラム３０１１ａ〜３０１１ｅ、それぞれ、電位差測定プロセス３０１０ａと、安定的指標算出プロセス３０１０ｂと、経過的指標算出プロセス３０１０ｃと、素材判定プロセス３０１０ｄと、加湿制御プロセス３０１０ｅとして機能する。なお、各プロセス３０１０ａ〜３０１０ｅは、図２に示した、電位差測定部４０１と、安定的指標算出部４０２と、経過的指標算出部４０３と、素材判定部４０４と、加湿制御部４０５とにそれぞれ対応する。
【０１４２】
そして、ＨＤＤ３０１２には、判定用テーブル３０１２ａと、制御用テーブル３０１２ｂとが設けられている。なお、各テーブル３０１２ａ〜３０１２ｂは、図２に示した、判定用テーブル３０１と、制御用テーブル３０２とにそれぞれ対応する。
【０１４３】
そして、ＣＰＵ３０１０は、判定用テーブル３０１２ａと、制御用テーブル３０１２ｂとを読み出してＲＡＭ３０１３に格納する。また、ＣＰＵ３０１０は、ＲＡＭ３０１３に格納された判定用データ３０１３ａと、制御用データ３０１３ｂと、電位差信号データ３０１３ｃと、安定的指標データ３０１３ｄと、経過的指標データ３０１３ｅとを用いて、心拍検出用加湿プログラムを実行する。
【０１４４】
［その他］
なお、本実施例で説明した心拍検出用加湿プログラムは、インターネットなどのネットワークを介して配布することができる。また、心拍検出用加湿プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【０１４５】
１００                  心拍検出用加湿装置
１０１                  測定部
１０２                  算出部
１０３                  加湿制御部
２００                  心拍検出用加湿装置
２０１                  ハンドル電極
２０２                  シート上部電極
２０３                  シート下部電極
２０４                  電位測定部
２０５                  送風部
２０６                  水分添加部
３００                  記憶部
３０１                  判定用テーブル
３０２                  制御用テーブル
４００                  制御部
４０１                  電位差測定部
４０２                  安定的指標算出部
４０３                  経過的指標算出部
４０４                  素材判定部
４０５                  加湿制御部
【図１】
0005440132.tif 000004
【図２】
0005440132.tif 000005
【図３】
0005440132.tif 000006
【図４】
0005440132.tif 000007
【図５】
0005440132.tif 000008
【図６Ａ】
0005440132.tif 000009
【図６Ｂ】
0005440132.tif 000010
【図７】
0005440132.tif 000011
【図８】
0005440132.tif 000012
【図９】
0005440132.tif 000013
【図１０】
0005440132.tif 000014
【図１１】
0005440132.tif 000015
【図１２】
0005440132.tif 000016
【図１３】
0005440132.tif 000017
【図１４】
0005440132.tif 000018
【図１５Ａ】
0005440132.tif 000019
【図１５Ｂ】
0005440132.tif 000020
【図１６】
0005440132.tif 000021
【図１７】
0005440132.tif 000022
【図１８】
0005440132.tif 000023
【図１９】
0005440132.tif 000024
【図２０】
0005440132.tif 000025